(57)【特許請求の範囲】
【請求項１】
下端に圧着封止部を有する封体と、
該封体の圧着封止部に埋設され封体内に延びる一対の内部リード棒と、
封体内の圧着封止部側に配置され該内部リード棒を固定するガラス片と、
二以上のコイルセグメントと、
下端が前記ガラス片に固定され、そこから上方に延びて、前記二以上のコイルセグメントのうち二つのコイルセグメントを釣り下げた状態で支持する支持棒と、を備え、
前記支持棒は、前記ガラス片から上方に延び、その後屈曲して水平方向に延び、さらに屈曲して下方に延び、さらに屈曲して水平方向に延び、さらに屈曲して上方に延びるように形成され、前記下方に延びる部分を前記支持される一のコイルセグメントの上端部に挿入し、水平に延びた後に上方に延びる部分を前記支持される他のコイルセグメントの上端部に挿入することによってコイルセグメントを釣り下げた状態で支持するよう構成されていることを特徴とする白熱電球。
【請求項２】
前記一のコイルセグメントと支持棒の該一のコイルセグメントと並行に延びる部分は、互いに直接電気的に接触されないように配置されていることを特徴とする請求項１記載の白熱電球。
【請求項３】
前記一のコイルセグメントとそれに隣接する他のコイルセグメントは、互いに直接電気的に接続されないように配置されていることを特徴とする請求項１又は２記載の白熱電球。
【請求項４】
前記二以上のコイルセグメントのうち、隣接する二つのコイルセグメントは、前記支持棒を介して電気的に接続されていることを特徴とする請求項１乃至３いずれか記載の白熱電球。
【請求項５】
前記二以上のコイルセグメントのうち、二つのコイルセグメントの下端部が前記内部リード棒に電気的に接続されていることを特徴とする請求項１乃至４いずれか記載の白熱電球。
【請求項６】
前記内部リード棒の先端は、水平方向に屈曲しており、その屈曲部分に前記コイルセグメントの下端部が引っ掛けられるよう構成されていることを特徴とする請求項５記載の白熱電球。
【発明の詳細な説明】
【技術分野】
【０００１】
本発明は、封体内に複数のコイルセグメントが複数配列された白熱電球に関する。
【背景技術】
【０００２】
従来から、封体内に複数のコイルセグメントが複数配列された白熱電球は、スタジオ照明など大きな消費電力が必要なところで使用されている。このような白熱電球は、例えば、図１０に示すように、下端に圧着封止部６０を有し、上端に排気管残部６２を有する封体６４と、封体６４の圧着封止部６０に埋設された一対の金属泊６６と、金属泊６６より封体６４外に延びる一対の外部リード棒６８と、金属泊６６より封体内に延びる一対の内部リード棒７０と、封体６４内の圧着封止部６０側に配置され内部リード棒７０を固定する第１ガラス片７２と、第１ガラス片７２から上方に延びる一対の支持棒７４と、支持棒７４によって支持される第２ガラス片７６と、第１ガラス片７２に固着され二股状の先端が第２ガラス片７６側に突出するＵ字状の第１接続部７８と、第２ガラス片７６に固着され二股状の先端が第１ガラス片７２側に突出するＵ字状の第２接続部８０と、下端が内部リード棒７０の上端又は第１接続部７８の先端に接続され、上端が第２接続部８０の先端に接続された複数のコイルセグメント８２と、を備えており、内部リード棒７０の上端並びに第１接続部７８及び第２接続部８０の先端は、コイルセグメントの上端及び下端のリード部８２Ａ、８２Ｂ内に挿入され、カシメ又はスポット溶接によって固定されている（特許文献１参照）。このようにカシメ又はスポット溶接によって、コイルセグメント８２の上端は、第２接続部８０の先端に固定されているので、釣り下げられた状態を維持することができる。
【０００３】
【特許文献１】実開平５−２５６５５号公報の図３
【発明の開示】
【発明が解決しようとする課題】
【０００４】
しかしながら、このように白熱電球は、コイルセグメントをカシメ又は溶接によって接続部の先端などに固定されているため、その製造過程が煩雑であり、その作業を行う者に熟練した技術が要求される。そこで、本発明は、容易に複数のコイルセグメントを釣り下げた状態で固定することが可能な白熱電球を提供することを目的とする。
【課題を解決するための手段】
【０００５】
以上の目的を達成するために、本発明は、下端に圧着封止部を有する封体と、該封体の圧着封止部に埋設され封体内に延びる一対の内部リード棒と、封体内の圧着封止部側に配置され該内部リード棒を固定するガラス片と、二以上のコイルセグメントと、下端が前記ガラス片に固定され、そこから上方に延びて、前記二以上のコイルセグメントのうち二つのコイルセグメントを釣り下げた状態で支持する支持棒と、を備え、前記支持棒は、前記ガラス片から上方に延び、その後屈曲して水平方向に延び、さらに屈曲して下方に延び、さらに屈曲して水平方向に延び、さらに屈曲して上方に延びるように形成され、前記下方に延びる部分を前記支持される一のコイルセグメントの上端部に挿入し、水平に延びた後に上方に延びる部分を前記支持される他のコイルセグメントの上端部に挿入することによってコイルセグメントを釣り下げた状態で支持するよう構成されていることを特徴とする白熱電球である。
【０００６】
以上のように、本発明に係る白熱電球によれば、コイルセグメントの上端部分に支持棒の一部を挿入することによって、コイルセグメントを釣り下げた状態で支持しているので、カシメ又はスポット溶接などを必要としない。
【０００７】
本発明に係る白熱電球において、前記一のコイルセグメントと支持棒の該一のコイルセグメントと並行に延びる部分は、互いに直接電気的に接触されないように配置されていることが好ましく、また前記一のコイルセグメントとそれに隣接する他のコイルセグメントは、互いに直接電気的に接続されないように配置されていることが好ましい。
【０００８】
また、本発明に係る白熱電球において、前記二以上のコイルセグメントのうち、隣接する二つのコイルセグメントは、前記支持棒を介して電気的に接続されていることが好ましい。さらに、前記二以上のコイルセグメントのうち、二つのコイルセグメントの下端部が前記内部リード棒に電気的に接続されていることが好ましく、この場合、前記内部リード棒の先端は、水平方向に屈曲しており、その屈曲部分に前記コイルセグメントの下端部が引っ掛けられるよう構成されていることが好ましい。これら内部リード棒に接続される二つのコイルセグメントは、上述した支持棒に支持される二つのコイルセグメントとは必ずしも一致しない。コイルセグメントが二つだけの場合、両者は一致するが、三以上の場合、両者は一致しない。
【発明の効果】
【０００９】
以上のように、本発明によれば、容易に複数のコイルセグメントを釣り下げた状態で固定することが可能な白熱電球を提供することができる。
【発明を実施するための最良の形態】
【００１０】
次に、本発明に係る白熱電球の第１実施例について図面に基づいて説明する。図１は、第１実施例に係る白熱電球の正面図である。第１実施例に係る白熱電球は、図１に示すように、下端に圧着封止部１０を有し、上端に排気管残部１２を有する封体１４と、封体１４の圧着封止部１０に埋設された一対の金属泊１６と、金属泊１６より封体１４外に延びる一対の外部リード棒１８と、金属泊１６より封体１４内に延びる一対の内部リード棒２０、２１と、封体１４内の圧着封止部１０側に配置され内部リード棒２０、２１を固定するガラス片２２と、下端が内部リード棒２０の上端部２０Ａに接続された一対のコイルセグメント２４、２６と、導電性素材から構成され、下端がガラス片２２の左側の内部リーブ棒２０の外側に固定され、そこから上方に延びて一対のコイルセグメント２４、２６を支持する支持棒２８と、を備えている。
【００１１】
第１実施例において、支持棒２８は、図２に示すように、ガラス片２２に固定された下端から上方に延びる第１部２８Ａと、第１部２８Ａの上端から屈曲してガラス片２２と平行な水平左方向に延びる第２部２８Ｂと、第２部２８Ｂの右端から屈曲して下方に延びる第３部２８Ｃと、第３部２８Ｃの下端から屈曲して第２部２８Ｂと平行な水平左方向に延びる第４部２８Ｄと、第４部２８Ｄの右端から屈曲して上方に延びる第５部２８Ｅと、から構成されている。支持棒２８の第１部２８Ａは、一対のコイルセグメント２４、２６よりも十分に長い長さを有し、第２部２８Ｂは、釣り下げられたコイルセグメント２４が第１部２８Ａに電気的に直接接触すること、すなわち放電などによってショートすることを防止するのに十分な長さを有する。第４部２８Ｃは、その右端と左端に一対のコイルセグメント２４、２６を釣り下げた場合に両者が電気的に直接接触することを防止するのに十分な長さを有する。第５部２８Ｅは、上端が排気管残部１２に挿入されており、そのため、第１部２８Ａの上端よりも高い位置で水平右方向に屈曲し、さらに上方に屈曲している。
【００１２】
内部リード棒２０、２１の上端部２０Ａ、２１Ａは、水平方向に屈曲して折り曲げられている。
【００１３】
次に、第１実施例に係る白熱電球の組み立て方について説明する。先ず、一のコイルセグメント２４の上端側のリード部２４Ａの上端から支持棒２８の先端を挿入し、第５部２８Ｅ→第４部２８Ｄを通って第３部２８Ｃの第４部２８Ｄとの境界位置まで誘導し、下端側のリード部２４Ｂの下端から内部リード棒２０を挿入し、内部リード棒２０の折り曲げられた上端部２０Ａを下端側のリード部２４Ｂの上端に引っ掛ける。一方、他のコイルセグメント２６の上端側リード部２６Ａの下端から支持棒２８の先端を挿入し、第５部２８Ｅの第４部２８Ｄとの境界位置まで誘導し、下端側のリード部２６Ｂの下端から内部リード棒２１を挿入し、内部リード棒２１の折り曲げられた上端部２１Ａを下端側のリード部２６Ｂの上端に引っ掛ける。このように第１実施例に係る白熱電球によれば、カシメ又はスポット溶接などを必要とせずに、容易に一対のコイルセグメント２４、２６を支持棒２８に釣り下げた状態で、支持棒２８を介して電気的に接続して、白熱電球を製造することができる。
【００１４】
以上のように、第１実施例に係る白熱電球においては、コイルセグメント２４、２６の上端側のリード部２４、２６をそれぞれ支持棒２８の第３部２８Ｃ及び第５部２８Ｄに挿入させたが、図３に示すようにいずれか一方のリード部を垂直に屈曲させて第４部２８Ｄに挿入させても良い。また、図４に示すように上端側のリード部２５Ｃを共通させて一対のコイルセグメント本体２５Ａ、２５Ｂを一体として形成し、リード部２５Ｃを支持棒２８の第４部２８Ｄに挿入しても良い。この場合、コイルセグメント本体２５Ａと上端側のリード部２５Ｃ、及びコイルセグメント本体２５Ｂと上端側のリード部２５Ｃは、直角に屈曲して全体としてコの字を形成している。このように、上端側のリード部を支持棒２８の第４部２８に挿入することによって、一対のコイルセグメントが電気的に直接接触するのを防止することができる。
【００１５】
次に、本発明に係る白熱電球の第２実施例について図面に基づいて説明する。第２実施例に係る白熱電球は、図５に示すように３本のコイルセグメント３０、３２、３４を備えている。第２実施例に係る白熱電球において、右側の内部リード棒２１は、ガラス片２２から上方に延びる第１部２１Ａと、第１部２１Ａの上端から屈曲して水平左方向に延びる第２部２１Ｂと、第２部２１Ｂの左端から屈曲して上方に延びる第３部２１Ｃと、から構成されている。そして、内部リード棒２１の水平部分である第２部２１Ｂと支持棒の水平部分である第４部２８Ｄは、同じ高さに位置している。また、第２実施例に係る白熱電球のガラス片２２の一対の内部リード棒２０、２１の間には、二股状の先端部３６Ａ、３６Ｂが上方に突出するＵ字状の接続部３６が固着されており、二股状の先端部３６Ａ、３６Ｂは、水平方向に屈曲して折り曲げられている。
【００１６】
次に、第２実施例に係る白熱電球の組み立て方について説明する。先ず、左のコイルセグメント３０の上端側のリード部３０Ａの上端から支持棒２８の先端を挿入し、第５部２８Ｅ→第４部２８Ｄを通って第３部２８Ｃの第４部２８Ｄとの境界位置まで誘導し、下端側のリード部３０Ｂの下端から内部リード棒２０を挿入し、内部リード棒２０の折り曲げられた上端部２０Ａを下端側のリード部３０Ｂの上端に引っ掛ける。中央のコイルセグメント３２の上端側リード部３２Ａの下端から支持棒２８の先端を挿入し、第５部２８Ｅの第４部２８Ｄとの境界位置まで誘導し、下端側のリード部３２Ｂの下端から接続部３６の先端部３６Ａを挿入し、その折り曲げられた部分を下端側のリード部３２Ｂの上端に引っ掛ける。右のコイルセグメント３４の上端側リード部３４Ａの下端から内部リード棒２１の先端を挿入し、内部リード棒２１の水平部分から上方に延びた上方部分２１Ａに誘導し、下端側のリード部３４Ｂの下端から接続部３６の先端部３６Ｂを挿入し、その折り曲げられた部分を下端側のリード部３４Ｂの上端に引っ掛ける。このように第２実施例に係る白熱電球によれば、カシメ又はスポット溶接などを必要とせずに、容易に白熱電球を製造することができる。
【００１７】
次に、本発明に係る白熱電球の第３実施例について図面に基づいて説明する。第３実施例に係る白熱電球は、図６に示すように４本のコイルセグメント４０、４２、４４、４６を備えている。第３実施例に係る白熱電球は、左側の内部リード棒２０の外側に設けられた第１支持棒２８の他に、右側の内部リード棒２１の外側にも第２支持棒２９が設けられている。第１支持棒２８は、第１実施例の支持棒と同様の形状からなり、第２支持棒２９は、第１支持棒２８と同様に、ガラス片２２から上方に延びる第１部２９Ａと、第１部２９Ａの上端から屈曲して水平左方向に延びる第２部２９Ｂと、第２部２９Ｂの左端から屈曲して下方に延びる第３部２９Ｃと、第３部２１Ｃの下端から屈曲して水平左方向に延びる第４部２９Ｄと、第４部２９Ｄの左端から屈曲して上方に延びる第５部２９Ｅと、から構成されており、第１支持棒２８の第４部２８Ｄと第２支持棒２９の第４部２９Ｄは、同じ高さに位置している。また、第３実施例に係る白熱電球のガラス片２２の一対の内部リード棒２０、２１の間には、二股状の先端が上方に突出するＵ字状の接続部４８が固着されており、二股状の先端部４８Ａ、４８Ｂは、水平方向に屈曲して折り曲げられている。
【００１８】
第３実施例に係る白熱電球において、一番左側のコイルセグメント４０の上端側のリード部４０Ａは、第１支持棒２８の第３部２８Ｃの位置で釣り下げられ、下端側のリード部４０Ｂは、内部リード棒２０の上端に引っ掛けられる。左から二番目のコイルセグメント４２の上端側のリード部４２Ａは、第１支持棒２８の第５部２８Ｅの位置で釣り下げられ、下端側のリード部４４Ｂは、接続部の先端部４８Ａに引っ掛けられる。右から二番目のコイルセグメント４４の上端側のリード部４４Ａは、第２支持棒２９の第５部２９Ｅの位置で釣り下げられ、下端側のリード部４４Ｂは、接続部の先端部４８Ｂに引っ掛けられる。一番右側のコイルセグメント４６の上端側のリード部４６Ａは、第２支持棒２９の第３部２９Ｃの位置で釣り下げられ、下端側のリード部４６Ｂは、内部リード棒２１の上端に引っ掛けられる。
【００１９】
次に、本発明に係る白熱電球の第４実施例について図面に基づいて説明する。第４実施例に係る白熱電球は、図７及び８に示すように４本のコイルセグメント５０、５２、５４、５６を備えており、一対のコイルセグメント５０、５２がガラス片２２に対して垂直に交わるように配列されている。第４実施例に係る白熱電球は、第３実施例と同様に第１支持棒２８及び第２支持棒２９が設けられているが、第１支持棒２８の第４部２８Ｄが図５の後方に延びている点で第３実施例と異なる。
【００２０】
次に、本発明に係る白熱電球の第５実施例について図面に基づいて説明する。第５実施例に係る白熱電球は、図９に示すように、コイルセグメントとして、２本の平コイル５７、５８を用いた。２本の平コイル５７、５８を用いる場合、支持棒５９は、ガラス片に固定された下端から上方に延びる第１部５９Ａと、第１部５９Ａの上端から屈曲してガラス片と平行な水平左方向に延びる第２部５９Ｂと、第２部５９Ｂの右端から屈曲して下方に延びる第３部５９Ｃと、第３部５９Ｃの下端から屈曲して第２部５９Ｂと平行な水平左方向に延びる第４部５９Ｄと、第４部５９Ｄの右端から屈曲して上方に延びる第５部５９Ｅと、第５部５９Ｅの上端から第４部５９Ｄと垂直に交わる水平方向に延びる第６部５９Ｆと、第６部５９Ｆの先端から屈曲して第５部５９Ｅと平行にその下端の位置まで延びる第７部５９Ｇと、第７部５９Ｇの下端から屈曲して第４部５９Ｄと平行にその左端の位置まで延びる第８部５９Ｈと、第８部５９Ｈの左端から屈曲して第３部５９Ｃと平行にその上端の位置まで延びる第９部５９Ｉと、第９部５９Ｉの上端から屈曲して第２部５９Ｂと平行にその左端の位置まで延びる第１０部５９Ｊと、第１０部５９Ｊの左端から屈曲して第１部５９Ａと平行に延びる第１１部５９Ｋと、から構成されている。
【００２１】
第５実施例に係る白熱電球は、平コイル５７のリードの部５７Ａの幅方向の両端部の内側に支持棒５９の第３部５９Ｃ及び第９部５９Ｉが位置し、平コイル５８のリード部５８Ａの幅方向の両端部の内側に支持棒５９の第５部５９Ｅ及び第７部５９Ｇが位置するように構成されている。
【図面の簡単な説明】
【００２２】
【図１】本発明に係る白熱電球の第１実施例の正面図である。
【図２】第１実施例に係る白熱電球に使用される支持棒の正面図である。
【図３】コイルセグメントの上端側のリード部を支持棒の他の箇所に挿入した封体を除いた状態を示す正面図である。
【図４】コイルセグメントの上端側のリード部を支持棒の他の箇所に挿入した封体を除いた状態を示す正面図である。
【図５】本発明に係る白熱電球の第２実施例の封体を除いた状態の正面図である。
【図６】本発明に係る白熱電球の第３実施例の封体を除いた状態の正面図である。
【図７】本発明に係る白熱電球の第４実施例の封体を除いた状態の正面図である。
【図８】第４実施例に係る白熱電球の封体を除いた状態の左側面図である。
【図９】本発明に係る白熱電球の第４実施例の封体を除いた状態の斜視図である。
【図１０】従来の白熱電球の正面図である。
【符号の説明】
【００２３】
１０   圧着封止部
１４   封体
２０、２１    内部リード棒
２４、２６    コイルセグメント
２８   支持棒
【図１】
0005096188.tif 000002
【図２】
0005096188.tif 000003
【図３】
0005096188.tif 000004
【図４】
0005096188.tif 000005
【図５】
0005096188.tif 000006
【図６】
0005096188.tif 000007
【図７】
0005096188.tif 000008
【図８】
0005096188.tif 000009
【図９】
0005096188.tif 000010
【図１０】
0005096188.tif 000011